(57)【要約】【課題】暗い環境においても、ユーザが快速で精確に化粧をすることができる化粧装置を提供する。【解決手段】本体１０と、化粧具２０、２１と、ランプ４０と、電源ユニット５０と、スイッチ６０と、を含む化粧装置において、本体１０は、両端には収容窪み１１、１２がそれぞれ設けられ、収容窪み１１、１２の間には収容空間１３が設けられ、化粧具２０、２１は、収容窪み１１、１２にそれぞれ設けられ、その自由端が本体１０の軸方向に沿って外側に延在しており、ランプ４０は、本体１０に設けられ、その光線がそれぞれ化粧具２０、２１の自由端に射出され、電源ユニット５０は、収容空間１３内に設けられ、スイッチ６０は、本体１０に設けられると共に、切替えることにより、二つのランプ４０のうちの一つ、又は両者に電源ユニット５０を電気的に連接するためのものである。【選択図】図２
0003151513.tif 000002
【実用新案登録請求の範囲】
【請求項１】
一つの本体と、二つの化粧具と、二つのランプと、一つの電源ユニットと、一つのスイッチと、を含む化粧装置において、
前記本体は、両端には収容窪みがそれぞれ設けられ、前記二つの収容窪みの間には収容空間が設けられ、
前記二つの化粧具は、前記二つの収容窪みにそれぞれ設けられ、その自由端が前記本体の軸方向に沿って外側に延在しており、
前記二つのランプは、前記本体に設けられ、その光線がそれぞれ前記二つの化粧具の自由端に射出され、
前記電源ユニットは、前記収容空間内に設けられ、
前記スイッチは、前記本体に設けられ、切替えることにより、前記二つのランプのうちの一つ、又は両者に電源ユニットを電気的に連接するためのものであることを特徴とする、化粧装置。
【請求項２】
前記電源ユニットは、第一電極と、第二電極と、を有し、前記二つのランプは、第一端子と、第二端子と、をそれぞれ有し、前記第一端子が前記電源ユニットの前記第一電極と電気的に連接し、前記スイッチにより、前記第二端子と前記第二電極の電気的な連接の有無が切替えられることを特徴とする、請求項１に記載の化粧装置。
【請求項３】
前記本体の一側面には剖開溝が設けられ、前記剖開溝が前記収容空間と連通し、なお前記スイッチは前記剖開溝を摺動可能であることを特徴とする、請求項２に記載の化粧装置。
【請求項４】
前記収容空間内にはケースが設けられ、前記ケースの内部には前記電源ユニットが設けられ、前記ケースの外面には制御具が設けられ、前記制御具には電気接点が多数設けられ、前記スイッチは電気連接具を有し、前記電気連接具は、ユーザの選択により前記電気接点のうちの何れか一つと電気的に連接可能であり、これにより、前記二つのランプのオン・オフ状態を制御することができることを特徴とする、請求項２に記載の化粧装置。
【考案の詳細な説明】
【技術分野】
【０００１】
本考案は、化粧装置に係り、特に、二つの化粧具を有し、発光することができる化粧装置に関するものである。
【背景技術】
【０００２】
化粧をすることは、女性にとって、外見を重視することを他人にアピールすると共に、儀礼でもあり、俳優などによって、個人の外見を良くする手段である。これにより、化粧品に関する産業は、常に盛んである。
【０００３】
従来の化粧装置（例えば口紅、リップグロスペン、アイライナーやまつげブラスなど）は、ユーザの顔の適当な箇所に化粧品を付ける道具である。従来の化粧装置は、進化によって使用性がどんどん良くなっている。
【０００４】
しかしながら、従来の化粧装置によれば、暗い環境において、ユーザは快速で精確に化粧をすることができない。
【考案の概要】
【考案が解決しようとする課題】
【０００５】
本考案の主な目的は、暗い環境においても、ユーザが快速で精確に化粧をすることができる化粧装置を提供することにある。
【課題を解決するための手段】
【０００６】
本考案の請求項１に記載の化粧装置によると、一つの本体と、二つの化粧具と、二つのランプと、一つの電源ユニットと、一つのスイッチと、を含む化粧装置において、前記本体は、両端には収容窪みがそれぞれ設けられ、前記二つの収容窪みの間には収容空間が設けられ、前記二つの化粧具は、前記二つの収容窪みにそれぞれ設けられ、その自由端が前記本体の軸方向に沿って外側に延在しており、前記二つのランプは、前記本体に設けられ、その光線がそれぞれ前記二つの化粧具の自由端に射出され、前記電源ユニットは、前記収容空間内に設けられ、前記スイッチは、前記本体に設けられ、切替えることにより、前記二つのランプのうちの一つ、又は両者に電源ユニットを電気的に連接するためのものであることを特徴とする化粧装置である。
【０００７】
本考案の請求項２に記載の化粧装置によると、前記電源ユニットは、第一電極と、第二電極と、を有し、前記二つのランプは、第一端子と、第二端子と、をそれぞれ有し、前記第一端子が前記電源ユニットの前記第一電極と電気的に連接し、前記スイッチにより、前記第二端子と前記第二電極の電気的な連接の有無が切替えられる。
【０００８】
本考案の請求項３に記載の化粧装置によると、前記本体の一側面には剖開溝が設けられ、前記剖開溝が前記収容空間と連通し、なお、前記スイッチは前記剖開溝を摺動可能である。
【０００９】
本考案の請求項４に記載の化粧装置によると、前記収容空間内にはケースが設けられ、前記ケースの内部には前記電源ユニットが設けられ、前記ケースの外面には制御具が設けられ、前記制御具には電気接点が多数設けられ、前記スイッチは電気連接具を有し、前記電気連接具は、ユーザの選択により前記電気接点のうちの何れか一つと電気的に連接可能であり、これにより、前記二つのランプのオン・オフ状態を制御することができる。
【考案の効果】
【００１０】
本考案の化粧装置によれば、暗い環境においても、ユーザは快速で精確に化粧をすることができるという効果を有する。
【図面の簡単な説明】
【００１１】
【図１】本考案の好適な実施例の組合状態の模式図である。
【図２】本考案の好適な実施例の分解斜視図である。
【図３】本考案の好適な実施例の一部の断面図である。
【図４】本考案の好適な実施例の一部の断面図であって、蓋が取り外れられた。
【考案を実施するための形態】
【００１２】
以下、本考案の実施の形態を図面に基づいて説明する。
【００１３】
まず、図１から図４を参照する。本考案に係る化粧装置は、一つの本体１０と、二つの化粧具２０、２１と、二つのビン３０と、二つのランプ４０と、一つの電源ユニット５０と、一つのスイッチ６０と、を含む。
【００１４】
前記本体１０は、両端には収容窪み１１、１２がそれぞれ設けられ、前記二つの収容窪み１１、１２の間には収容空間１３が設けられ、前記本体１０の一側面には剖開溝１４が設けられ、前記剖開溝１４が前記収容空間１３と連通し、なお、前記スイッチ６０は前記剖開溝１４を摺動可能である。
【００１５】
前記二つの化粧具２０、２１は、前記二つの収容窪み１１、１２にそれぞれ設けられ、その自由端が前記本体１０の軸方向に沿って外側に延在しており、且つ前記化粧具２０、２１は、口紅でもいいし、リップグロスペンでもいいし、アイライナーでもいいし、まつげブラスでもいいし、その他の類似物でもよい。
【００１６】
前記二つのビン３０は、前記本体１０の両端に螺着され、その内部には、前記化粧具２０、２１がそれぞれ収容され、且つ前記ビン３０には化粧液が充填され、更に、前記ビン３０の側面には、化粧を便利にするための鏡３１が設けられてもよい。
【００１７】
前記二つのランプ４０は、前記本体１０に設けられ、その光線がそれぞれ前記二つの化粧具２０、２１の自由端に射出され、前記ランプ４０は、電球でもいいし、発光ダイオードでもいいし、その他の類似物でもよく、且つ前記各ランプ４０には、第一端子４１と、第二端子４２と、が設けられる。
【００１８】
前記電源ユニット５０は、前記収容空間１３内に設けられ、並列接続し、又は直列接続する複数の電池から構成されてもよい。前記電源ユニット５０は、第一電極５１と、第二電極５２と、を有し、前記第一電極５１が正極である場合には、前記第二電極５２が負極であり、なお、前記第一電極５１が負極である場合には、前記第二電極５２が正極である。
【００１９】
前記ランプ４０の前記第一端子４１が例えば何時も前記電源ユニット５０の前記第一電極５１と電気的に連接する場合には、前記スイッチ６０により前記第二端子４２と前記第二電極５２の電気的な連接の有無が切替えられる。前記第二電極５２と電気的に連接している場合には、前記ランプ４０と前記電源ユニット５０が電気回路を構成し前記ランプ４０が発光する。逆に、前記第二電極５２と電気的に連接していない場合には、前記ランプ４０と前記電源ユニット５０が電気回路を構成せず、前記ランプ４０が発光しない。
【００２０】
更に、前記収容空間１３内にケース１５を設けてもよく、前記ケース１５には、その軸方向に沿って貫通孔１６が設けられ、前記貫通孔１６には前記電源ユニット５０が設けられ、前記ケース１５の外面には制御具１７が設けられ、前記制御具１７には電気接点１８が多数設けられ、前記スイッチ６０は電気連接具６１を有し、前記電気連接具６１は、前記スイッチ６０の前記収容空間１３に向いている面に取付けられ、ユーザの選択により前記電気接点１８のうちの何れか一つと電気的に連接可能であり、これにより、前記二つのランプ４０のオン・オフ状態を制御することができる。例えば前記電気連接具６１が前記電気接点１８のうちの一つと電気的に連接することにより、前記二つのランプ４０のうちの一つは、その第二端子４２が前記電源ユニット５０の前記第二電極５２と電気的に連接して、発光し、なお、前記電気連接具６１が別の電気接点１８と電気的に連接する場合には、残りの前記ランプ４０は、その第二端子４２が前記電源ユニット５０の前記第二電極５２と電気的に連接して、発光する。上記から明らかなように、相違する前記電気接点１８に前記電気連接具６１を電気的に連接することにより、単一のランプ４０のオン・オフ、又は複数のランプ４０の同期のオン・オフを制御することができる。更に、本考案に係る化粧装置にランプ点滅回路を設けてもよく、そうすると、オンされる前記ランプ４０が点滅するようになる。
【産業上の利用可能性】
【００２１】
本考案は、化粧装置に適用することができる。
【符号の説明】
【００２２】
１０  本体
１１  収容窪み
１２  収容窪み
１３  収容空間
１４  剖開溝
１５  ケース
１６  貫通孔
１７  制御具
１８  電気接点
２０  化粧具
２１  化粧具
３０  ビン
３１  鏡
４０  ランプ
４１  第一端子
４２  第二端子
５０  電源ユニット
５１  第一電極
５２  第二電極
６０  スイッチ
６１  電気連接具
【図１】
0003151513.tif 000003
【図２】
0003151513.tif 000004
【図３】
0003151513.tif 000005
【図４】
0003151513.tif 000006